(57)【要約】【課題】可動床の昇降する領域のあるホールなどであっても、簡易な構成により迅速かつ容易に設置することができ、同一空間に複数の空調方式を導入する必要がなく省エネルギー化に貢献できる空調ダクト及び空調ダクトシステムを提供すること。【解決手段】固定客席床と、前記固定客席床の隣接領域であって前記固定客席床に略面一な上昇位置と、前記上昇位置の下方の下降位置との間で移動可能な可動客席床とを備えるホールの床下に設置され、前記固定客席床と可動客席床からなる客先空間を空調するための空調ダクトシステムに用いられる空調ダクト２０であって、円筒状の本体筒部２２と、前記本体筒部２２の先端にスライド可能に嵌合された円筒状の先端筒部２３と、前記先端筒部２３の先端縁部に設けられた先端気密部材２４と、前記先端筒部２３を本体筒部２２から出没可能にスライドさせる駆動手段３７と、を備えたダクト部２１を有することを特徴とする。【選択図】図４
2008101849.tif 000002
【特許請求の範囲】
【請求項１】
固定された固定客席床と、前記固定客席床の隣接領域であって前記固定客席床に略面一な上昇位置と、前記上昇位置の下方の下降位置との間で移動可能な可動客席床とを備えるホールの床下に設置され、前記固定客席床と可動客席床からなる客先空間を空調するための空調ダクトシステムに用いられる空調ダクトであって、
内部に空気を流通させる円筒状の本体筒部と、
前記本体筒部の先端にスライド可能に嵌合された円筒状の先端筒部と、
前記先端筒部の先端縁部に設けられた弾性材料からなる先端気密部材と、
前記本体筒部の内側に設けられ、前記先端筒部を本体筒部から出没可能にスライドさせる駆動手段と、
を備えたダクト部を有することを特徴とする空調ダクト。
【請求項２】
前記駆動手段は、ガス圧により伸縮するシリンダであることを特徴とする請求項１に記載の空調ダクト。
【請求項３】
前記先端筒部の外周面と、前記本体筒部の内周面との間に、前記先端筒部と前記本体筒部との間の気密状態を保持する周面用気密部材が設けられていることを特徴とする請求項１又は請求項２に記載の空調ダクト。
【請求項４】
ホールの床下に設けられる空調ダクトシステムであって、
前記ホールには、
客席が設置されて固定された固定客席床と、
前記固定客席床の隣接領域であって前記固定客席床に略面一な上昇位置と、前記上昇位置の下方の下降位置との間で昇降可能に可動床と、
客席が設置されるとともに、前記可動床の床面に載せられて前記上昇位置と前記下降位置との間で昇降可能に、かつ、前記下降位置と、前記固定客席床側の床下の床下位置との間で水平移動可能に、可動客席床とが設けられており、
前記固定客席床の床下には、
前記固定客席床の客席に設けられた流入口に連通し、前記隣接領域側に向けられた請求項１から請求項３のいずれか一項に記載の空調ダクトが設けられ、
前記可動客席床の床下には、
前記可動客席床の客席に設けられた流入口に連通し、前記可動客席床が前記上昇位置に配された状態で、前記空調ダクトと同軸上に配されて、前記固定客席床側に開口端が向けられる可動側ダクト部が設けられていることを特徴とする空調ダクトシステム。
【発明の詳細な説明】
【技術分野】
【０００１】
本発明は、空調用の空気を流通させる空調ダクト及び空調ダクトシステムに関する。
【背景技術】
【０００２】
従来より、ホールなどの空間で空調を行うために、床下に固定される空調ダクトが利用されている。
ここで、近年、大空間での局所空調を実現する技術が多数開発されてきている。その中の一つに、ホール客席における座席空調システムがある。
座席空調システムとは、床下に配された空調ダクトを通して空調用の空気を客席内に送り込み、この送り込まれた空気を客席の所定の箇所から排出し、客席のさらに他の箇所から空気を吸い込むことにより、各客席の周囲で空気を環流させる空調システムである。例えば、冷房運転時には、客席の背もたれの上端から冷気を排出し、客席の足元に相当する箇所で吸い込むようになっており、暖房運転時には、反対に、足元に相当する箇所から暖気を排出し、背もたれの上端で吸い込むようになっている。
このような座席空調システムによって、居住域のみを空調することができ、そのため、大空間全体を空調するのに対して省エネルギー化を図ることができるだけでなく、観客にとっての快適性を向上させることができる。
【０００３】
このような座席空調システムで使用される空調ダクトは、床下に固定されるため、例えばオーケストラピットなどの可動床が設けられているホールなどでは、可動床が昇降するため、その昇降する領域には、固定床の床下などの固定領域から一体的に本体筒部を敷設することができない。
そのため、固定床の客席には座席空調システムを利用し、可動床の領域においては、天井から空調用空気を吹き出させる天井吹出方式を利用することが考えられる。
しかし、同一空間に複数の空調方式を導入すると、空調空気のミキシングロスが生じ、省エネルギー化に反するだけでなく、空気境界付近の空気環境が悪化してしまう。
【０００４】
そこで、外筒と、この外筒に嵌合された可動筒とを備えたダクトが提案されている（例えば、特許文献１参照。）。このダクトは、外筒の外周に設けられたシリンダにより可動筒を前進及び後退させることができるようになっている。
【特許文献１】特開平１０−１６００７２号公報
【０００５】
しかしながら、上記のような特許文献１に記載の空調ダクトでは、シリンダに対応させてダクト周りの構造を調整する必要があり施工が困難になるという問題がある。
【発明の開示】
【発明が解決しようとする課題】
【０００６】
本発明は、このような事情に鑑みてなされたものであって、可動床の昇降する領域のあるホールなどであっても、簡易な構成により迅速かつ容易に設置することができ、同一空間に複数の空調方式を導入する必要がなく省エネルギー化に貢献できる空調ダクト及び空調ダクトシステムを提供することを目的とする。
【課題を解決するための手段】
【０００７】
上記課題を解決するために、本発明は以下の手段を提供する。
本発明に係る空調ダクトは、固定された固定客席床と、前記固定客席床の隣接領域であって前記固定客席床に略面一な上昇位置と、前記上昇位置の下方の下降位置との間で移動可能な可動客席床とを備えるホールの床下に設置され、前記固定客席床と可動客席床からなる客先空間を空調するための空調ダクトシステムに用いられる空調ダクトであって、内部に空気を流通させる円筒状の本体筒部と、前記本体筒部の先端にスライド可能に嵌合された円筒状の先端筒部と、前記先端筒部の先端縁部に設けられた弾性材料からなる先端気密部材と、前記本体筒部の内側に設けられ、前記先端筒部を本体筒部から出没可能にスライドさせる駆動手段と、を備えたダクト部を有することを特徴とする。
【０００８】
この発明に係る空調ダクトにおいては、先端筒部が本体筒部に嵌合されて、本体筒部に対してスライドする。そして、先端筒部を前方に移動させると、先端筒部の前方に配された部材に先端気密部材が当接し、先端筒部内が気密される。
これにより、必要に応じてダクト部を伸縮させることができ、ダクト部を一体的に敷設することができない領域であっても、空調用の空気を送り込むことができる。
また、駆動手段が本体筒部の内側に設けられているので、施工時に邪魔になることもなく、駆動手段に合わせてダクト周りの構造を変更する必要もない。さらに、本体筒部及び先端筒部が円筒状であることから、通常の丸ダクトとして施工することができる。
また、先端気密部材が設けられていることから、先端筒部を当接させるだけで、迅速かつ容易に先端筒部内を気密することができる。
【０００９】
また、本発明に係る空調ダクトは、前記駆動手段が、ガス圧により伸縮するシリンダであることを特徴とする。
また、本発明に係る空調ダクトは、前記先端筒部の外周面と、前記本体筒部の内周面との間に、前記先端筒部と前記本体筒部との間の気密状態を保持する周面用気密部材が設けられていることを特徴とする。
【００１０】
また、本発明に係る空調ダクトシステムは、ホールの床下に設けられる空調ダクトシステムであって、前記ホールには、客席が設置されて固定された固定客席床と、前記固定客席床の隣接領域であって前記固定客席床に略面一な上昇位置と、前記上昇位置の下方の下降位置との間で昇降可能に可動床と、客席が設置されるとともに、前記可動床の床面に載せられて前記上昇位置と前記下降位置との間で昇降可能に、かつ、前記下降位置と、前記固定客席床側の床下の床下位置との間で水平移動可能に、可動客席床とが設けられており、前記固定客席床の床下には、前記固定客席床の客席に設けられた流入口に連通し、前記隣接領域側に向けられた請求項１から請求項３のいずれか一項に記載の空調ダクトが設けられ、前記可動客席床の床下には、前記可動客席床の客席に設けられた流入口に連通し、前記可動客席床が前記上昇位置に配された状態で、前記空調ダクトと同軸上に配されて、前記固定客席床側に開口端が向けられる可動側ダクト部が設けられていることを特徴とする。
【００１１】
この発明に係る空調ダクトシステムにおいては、可動客席床が上昇位置に配されると、可動側ダクト部と空調ダクトとが同軸上に配されて、可動側ダクト部の開口端が固定客席床側に向けられる。この状態で、空調ダクトを伸ばすと、可動側ダクト部と空調ダクトとが連通する。また、可動側ダクト部と空調ダクトとが連通した状態で、空調ダクトを縮めると、可動側ダクト部と空調ダクトとの連通状態が解除される。
これにより、本体筒部を一体的に敷設することができない領域であっても、必要に応じて、ダクトを延ばすことができ、座席空調システムを利用することができる。
また、駆動手段が本体筒部の内側に設けられているので、施工時に邪魔になることもなく、駆動手段に合わせてダクト周りの構造を変更する必要もない。さらに、本体筒部及び先端筒部が円筒状であることから、通常の丸ダクトとして施工することができる。
また、先端気密部材が設けられていることから、先端筒部を当接させるだけで、迅速かつ容易に先端筒部内を気密することができる。
【発明の効果】
【００１２】
本発明によれば、駆動手段が本体筒部の内側に設けられているので、施工時に邪魔になることもなく、駆動手段に合わせてダクト周りの構造を変更する必要もないことから、可動床の昇降する領域のあるホールなどであっても、簡易な構成により迅速かつ容易に設置することができ、同一空間に複数の空調方式を導入する必要がなく省エネルギー化に貢献できる。
【発明を実施するための最良の形態】
【００１３】
（実施形態）
以下、本発明の実施形態における空調ダクトシステム１について、図面を参照して説明する。
図１は、本発明の実施形態としての空調ダクトシステム１を示したものである。
空調ダクトシステム１は、オペラなどが演じられるホール２の床下に設置されるものである。
そこで、まず、ホール２について説明する。
ホール２は、役者などが演じる舞台であるステージ５と、客席空間６とを備えている。
客席空間６には、客席８が設置されて固定された固定客席床９と、客席１１が設置されて移動可能な可動客席床１２と、昇降可能なオーケストラピット（可動床）１５とが設けられている。
【００１４】
固定客席床９の客席８には、背もたれの上端と、客席の足元に相当する部分とに空気の流出入口（不図示）が設けられている。
オーケストラピット１５は、オペラなどが演じられるとき、ステージ５上の演技に合わせてオーケストラが音楽を演奏するためのエリアとなるものである。このオーケストラピット１５は、固定客席床９に隣接した隣接領域Ａ、すなわち固定客席床９とステージ５との間の領域であって、固定客席床９と面一な上昇位置Ｐ１と、上昇位置Ｐ１の下方の領域である下降位置Ｐ２との間で、昇降可能に構成されている。
【００１５】
また、可動客席床１２は、オーケストラピット１５の床面に載せられることにより、オーケストラピット１５を介して、上昇位置Ｐ１と下降位置Ｐ２との間で昇降可能に設けられている。さらに、可動客席床１２は、図２に示すように、下降位置Ｐ２に配された状態で、下降位置Ｐ２と、固定客席床９の床下の領域である床下位置Ｐ３との間で、水平移動可能に構成されている。
【００１６】
このような構成のもと、図１に示すように、オーケストラピット１５上に可動客席床１２を載せて、可動客席床１２を上昇位置Ｐ１に配すると、固定客席床９から可動客席床１２まで、客席空間６の全面にわたって、客席８，１１が設けられるようになっている。
一方、図３に示すように、可動客席床１２を、上昇位置Ｐ１から下降位置Ｐ２を介して床下位置Ｐ３に配した状態で、オーケストラピット１５を上昇させると、オーケストラピット１５が演奏位置Ｐ４に配されるようになっている。そして、オーケストラピット１５が演奏位置P４に配されると、オーケストラピット１５上において、オーケストラなどが演奏するための空間が客席８の前方に設けられるようになっている。
【００１７】
次いで、本実施形態における空調ダクトシステム１の空調ダクトについて説明する。
図４は、本実施形態における空調ダクトを示すものである。
空調ダクト２０は、ステージ５と固定客席床９との配置方向（ホール２の前後方向）に向けて、固定客席床９の床下に、ホール２の左右方向に複数敷設されるものである。
なお、それら複数の空調ダクト２０は、すべて同一の構成であり、ここでは一つの空調ダクト２０について説明する。
【００１８】
空調ダクト２０は、円筒状に延びるダクト部２１を空調ダクト２０の隣接領域Ａ側端部に備えている。
ダクト部２１は、その内部に空調用の空気が流通するようになっており、固定客席床９のそれぞれの客席８に設けられた流入口に連通している。
また、ダクト部２１は、円筒状に延びる大径の本体筒部２２と、同じく円筒状に延び、本体筒部２２よりも細径の先端筒部２３とを備えている。
本体筒部２２は、鉄などの金属部材が切削加工により形成されたものである。そして、本体筒部２２の外周面には、耐食性向上のために電界ニッケルめっきが施されている。また、本体筒部２２の基端部には、不図示の空調機に連結された接続ダクト２８が接続されている。
【００１９】
本体筒部２２の先端側の開口端には、先端筒部２３の基端部が嵌合されている。これにより、先端筒部２３は、本体筒部２２の先端部にスライド可能に連結されている。すなわち、先端筒部２３は、本体筒部２２の先端から出没可能に連結されている。さらに換言すれば、ダクト部２１は全体として伸縮可能に構成されている。
先端筒部２３の外周面には、研磨処理が施され、シリコングリスが塗布されている。これにより、先端筒部２３の外周面と本体筒部２２の内周面との間の摩擦が軽減されて、先端筒部２３のスライド動作がスムーズに行われるようになっている。
また、先端筒部２３の基端側の開口端の縁部には、図５に示すように、先端筒部２３の径方向内方の全周にわたって延びる円環状の基端内方レール３０が設けられ、先端筒部２３の外側には、基端内方レール３０の内径部分から先端筒部２３の径方向外方に向け、全周にわたって先端筒部２３の外径よりも突出した状態で延びる円環状の基端外方レール３１がネジ止めにて固定されている。また、先端筒部２３の外周面には、基端外方レール３１から先端筒部２３の先端側に所定の間隔を空けて基端外方レール３１と略同一の外径まで延びた外周レール３２を設け、基端外方レール３１と外周レール３２とによって溝３５を形成している。なお、基端外方レール３１と外周レール３２の外径は、本体筒部２２の内径よりも小さく設定されている。
【００２０】
さらに、溝３５内には、本体筒部２２と先端筒部２３との間の気密を保つため、弾性材料からなる周面用気密部材２７が密着した状態で設けられている。周面用気密部材２７の外径寸法は、基端外方レール３１及び外周レール３２の外径寸法よりも大きく設定されており、基端外方レール３１及び外周レール３２の外周端から外方に突出している。このため、本体筒部２２の内周面には、周面用気密部材２７の外周端のみが本体筒部２２に当接した状態となるので、先端筒部２３をスライドさせて本体筒部２２から出没させる際に、先端筒部２３と本体筒部２２との間の気密状態を保持することができる。なお、周面用気密部材２７には、例えばＧＬＹパッキンなどが利用される。
【００２１】
また、図４に示すように、先端筒部２３の先端側の開口端には、その縁部の全周にわたって延びる先端気密部材２４が設けられている。先端気密部材２４は、弾性材料からなるものである。
【００２２】
また、先端筒部２３は、本体筒部２２の内部に設けられたエアシリンダ（駆動手段）３７に連結されている。
エアシリンダ３７は、本体筒部２２内部の中心部に固定されている。また、エアシリンダ３７は、シリンダ本体３９と、このシリンダ本体３９内に挿入されてシリンダ本体３９の長さ方向にスライド可能なロッド軸３８とを備えている。シリンダ本体３９及びロッド軸３８は、本体筒部２２の長さ方向に向けられており、ロッド軸３８の先端部には先端筒部２３が取り付けられている。
なお、ロッド軸３８のストロークは、ロッド軸３８本体の最大ストローク内に設定されている。
シリンダ本体３９には、ロッド軸３８を先方に向けて移動させるための圧縮ガスを流入させる作動流入口４１と、ロッド軸３８を後方に復帰させるための圧縮ガスを流入させる復帰用流入口４２とが形成されている。
【００２３】
また、シリンダ本体３９内には、ロッド軸３８が復帰したときにオンとなる有接点のオートスイッチ４３が設けられている。オートスイッチ４３は、ロッド軸３８が最深部に配されたときに、ロッド軸３８の基端部に設けられた磁性体（不図示）の磁力によりオンされ、ロッド軸３８が先端に移動して磁性体が離れると、オフされるようになっている。オートスイッチ４３がオンされると、インジケータランプ（不図示）などが点灯し、ダクト部２１の復帰状態を確認できるようになっている。
【００２４】
さらに、エアシリンダ３７は、エア供給機４５に連結されている。
エア供給機４５は、ホール２の所定の作業室などに設けられるものである。
このエア供給機４５は、窒素などの圧縮ガスが充填された一対のガスボンベ４６を備えている。
それぞれのガスボンベ４６は、供給管４８及び開閉部４７を介して、ガス圧を調整する圧力調整機５０に連結されている。
【００２５】
圧力調整機５０の排出圧力は、０．４ＭＰａから０．６ＭＰａに設定されている。また、圧力調整機５０は、供給管４８を介して、ソレノイドを有する電磁弁５１に連結されている。電磁弁５１には、作動用出力ポート５４と復帰用出力ポート５５とが設けられている。作動用出力ポート５４及び復帰用出力ポート５５は、電磁弁５１の入力ポート５７に択一的に連通するようになっている。
また、電磁弁５１には、ソレノイドに通電する電源回路５６が接続されている。そして、電源回路５６によりソレノイドへの通電のオン・オフを切り替えることにより、入力ポートに連通する出力ポートを、作動用出力ポート５４又は復帰用出力ポート５５のいずれか一方に切り替えるようになっている。
【００２６】
作動用出力ポート５４は、供給管４８ａ及び本体筒部２２の連通部５２ａを介して、エアシリンダ３７の作動流入口４１に連通されている。また、復帰用出力ポート５５は、供給管４８ｂ及び連通部５２ｂを介して、エアシリンダ３７の復帰用流入口４２に連通されている。
作動用出力ポート５４と作動流入口４１とを連通する供給管４８ａには、連結部６０が設けられており、連結部６０には、手動で空気を送り込むための空気入れ６１が、供給管４８ｃを介して連結されている。これにより、作動用出力ポート５４から排出された窒素ガスだけでなく、空気入れ６１によって送り込まれた空気も、供給管４８ｃ，４８ａを介して作動流入口４１に送られるようになっている。
なお、作動用出力ポート５４及び復帰用出力ポート５５に連結される供給管４８ａ，４８ｂには、分岐部６２が設けられており、この分岐部６２によって分岐された分だけ、他の空調ダクトにも同時に窒素ガスを供給することができるようになっている。
【００２７】
このような構成のもと、エア供給機４５から作動用の圧縮ガス又は復帰用の圧縮ガスを、供給管４８ａ又は供給管４８ｂを介してシリンダ本体３９内に送り込むことにより、ロッド軸３８を介して、先端筒部２３が、本体筒部２２の長さ方向にスライドするようになっている。すなわち、エア供給機４５によって遠隔操作することにより、ダクト部２１を伸縮させることができるようになっている。換言すれば、遠隔操作することにより、本体筒部２２の先端から、先端筒部２３を出没させることができるようになっている。
【００２８】
このような空調ダクト２０は、図６に示すように、固定客席床９の床下に固定されている。すなわち、固定客席床９の床下のコンクリート梁７１には、横断面円形のスリーブ６８が水平方向に向けて形成されており、このスリーブ６８を空調ダクト２０が貫通している。そして、空調ダクト２０のうち、スリーブ６８の前側は、Ｕバンド６９によって支持、固定されており、スリーブ６８の後ろ側は、天吊金具７０によって吊り込み固定されている。
【００２９】
また、本実施形態においては、図１に示すように、可動客席床１２の床下に、筒状の可動側ダクト部６５が敷設されている。すなわち、可動側ダクト部６５は、可動客席床１２の床下に固定されている。可動側ダクト部６５は、その内部に空調用の空気を流通させるようになっており、可動客席床１２のそれぞれの客席１１に設けられた流入口に連通している。また、可動側ダクト部６５の先端側の開口端には、不図示の蓋部が設けられており、可動側ダクト部６５の先端部の気密状態が保持されている。一方、可動側ダクト部６５の基端側は、開口端とされている。
また、可動側ダクト部６５は、ホール２の前後方向に延ばされており、可動側ダクト部６５の基端側の開口端は、固定客席床９の後方に向けられている。すなわち、可動側ダクト部６５は、可動客席床１２が上昇位置Ｐ１に配された状態で、空調ダクト２０と同一軸線上に配され、さらに、可動側ダクト部６５の基端側の開口端と、空調ダクト２０の先端側の開口端とが接近して対向配置されるようになっている。
【００３０】
次に、このように構成された本実施形態における空調ダクトシステム１の動作について説明する。なお、図３に示すように、オーケストラピット１５は演奏位置Ｐ４に配され、可動客席床１２は床下位置Ｐ３に配されているものとする。また、先端筒部２３は本体筒部２２内に復帰された復帰状態にあるものとする。
この状態では、固定客席床９の前方に空間が設けられていることから、オーケストラピット１５の床面でオーケストラなどが音楽を演奏することができる。なお、空調ダクト２０を介して空調空気を流すことにより、空調空気が空調ダクト２０の先端からオーケストラピット１５上に吹き出される。これにより、複数の空調方式を導入することなく、オーケストラが演奏しているときにもオーケストラピット１５上を空調することができ、空調の省エネルギー化に貢献できる。
【００３１】
この状態から、隣接領域Ａに客席を配する場合には、以下のように動作させる。
まず、図２に示すように、オーケストラピット１５を上昇位置Ｐ１から下降位置Ｐ２に移動させる。そして、可動客席床１２を水平方向の前方に移動させて、オーケストラピット１５の床面に載せる。これにより、可動客席床１２は下降位置Ｐ２に配される。
それから、オーケストラピット１５を上昇させて、可動客席床１２を上昇位置Ｐ１に配する。これにより、隣接領域Ａに可動客席床１２の客席１１が配される。
【００３２】
そして、以下のようにして、空調ダクト２０と可動側ダクト部６５とを連結する。
可動客席床１２が上昇位置Ｐ１に配されると、空調ダクト２０と可動側ダクト部６５とが同軸上に配され、かつ、空調ダクト２０の先端側の開口端と、可動側ダクト部６５の基端側の開口端とが接近して対向配置された状態になる。
この状態から、図４に示すエア供給機４５を駆動して、不図示のスイッチにより電源回路５６をオンする。すると、電源回路５６から電磁弁５１のソレノイドに通電され、これにより入力ポート５７と作動用出力ポート５４とが連通する。
【００３３】
この状態で、エア供給機４５に設けられた不図示の操作部を操作して、いずれか一方の開閉部４７を開ける。これにより、ガスボンベ４６から供給管４８を介して圧縮ガスが圧力調整機５０に送られる。
そして、圧力調整機５０にてあらかじめ設定された０．４ＭＰａから０．６ＭＰａの圧力で、圧縮ガスが排出される。この排出された圧縮ガスは、供給管４８及び入力ポート５７を介して電磁弁５１に流入する。さらに、この圧縮ガスは、作動用出力ポート５４から排出されて、供給管４８ａ、連通部５２ａ及び作動流入口４１を介して、エアシリンダ３７のシリンダ本体３９内に送り込まれる。
【００３４】
そのため、ロッド軸３８が前方にスライドし、これにより、ロッド軸３８に取り付けられた先端筒部２３も前方にスライドする。このとき、先端筒部２３は、周面用気密部材２７によって、先端筒部２３と本体筒部２２との気密状態を保持しながらスライドする。
これにより、先端筒部２３は、本体筒部２２の先端から突出していく。そして、先端筒部２３の先端側の開口端と、可動側ダクト部６５の基端側の開口端とが近接して対向配置されていることから、先端筒部２３が、本体筒部２２の先端から突出していくと、先端筒部２３の先端に設けられた先端気密部材２４が、あるタイミングで可動側ダクト部６５の基端部に当接する。そして、さらに先端筒部２３を突出させていくと、可動側ダクト部６５と先端筒部２３とによって、先端気密部材２４が圧縮されていく。
【００３５】
そこで、所定の位置で、開閉部４７を閉じて先端筒部２３の移動を止める。このとき、先端気密部材２４が可動側ダクト部６５と先端筒部２３とに挟まれて圧縮させられていることから、先端気密部材２４の弾性力により、可動側ダクト部６５と先端筒部２３とが気密状態に連通する。
これにより、空調ダクト２０と可動側ダクト部６５とが気密状態に連通する。そのため、空調ダクト２０に空調用の空気を送り込むと、空調ダクト２０を介して、固定客席床９に設置された複数の客席８に、空調用の空気が送り込まれる。また、空調ダクト２０及び可動側ダクト部６５を介して、可動客席床１２に設置された複数の客席１１にも、空調用の空気が送り込まれる。そのため、客席空間６の全体にわたって、座席空調システムが利用される。
【００３６】
なお、エア供給機４５を駆動できない場合や、緊急時には、空気入れ６１から供給管４８を介して手動で空気を送り込み、この空気を作動流入口４１を介してシリンダ本体３９内に送り込む。これにより、手動で先端筒部２３をスライドさせることができる。
なお、空気入れ６１を供給管４８ｂに接続すれば、手動で先端筒部２３を復帰させることができる。
【００３７】
一方、上記のように、空調ダクト２０と可動側ダクト部６５とが連通した状態から、オーケストラピット１５を上昇位置Ｐ１に配するには、以下のように動作させる。
まず、エア供給機４５の電源回路５６をオフにする。すると、電磁弁５１の出力ポートが切り替えられ、入力ポート５７と復帰用出力ポート５５とが連通する。そして、上記と同様に、開閉部４７を開くと、ガスボンベ４６から、供給管４８，４８ｂ，連通部５２ｂ及び復帰用流入口４２を介して、圧縮ガスがシリンダ本体３９内に送り込まれる。これにより、ロッド軸３８を介して、先端筒部２３が、本体筒部２２の基端側にスライドする。すなわち、先端筒部２３は、本体筒部２２に没する方向に後方に移動する。
【００３８】
これにより、空調ダクト２０と可動側ダクト部６５との連通状態が解除される。そして、先端筒部２３が本体筒部２２内に最深部まで没した状態で、開閉部４７を閉じて先端筒部２３の移動を止める。このとき、エアシリンダ３７に設けられたオートスイッチ４３が、ロッド軸３８に設けられた磁性体の磁力によりオンされ、インジケータランプが点灯する。
次いで、図２に示すように、オーケストラピット１５を下降させて、可動客席床１２を床下位置Ｐ３に配する。そして、図３に示すように、オーケストラピット１５を上昇させて演奏位置Ｐ４に配する。このとき、先端筒部２３は塞がれることはない。これにより、空調ダクト２０内に空調用の空気を送り込むことにより、固定客席床９の座席空間６において座席空調システムが利用される一方、オーケストラ演奏時のオーケストラピット１５にも空調を供給することができる。
【００３９】
以上より、本実施形態における空調ダクト２０によれば、必要に応じてダクト部２１を伸縮させることができることから、オーケストラピット１５が昇降するような領域、すなわち固定客席床９の床下などの固定領域からダクト部２１を一体的に敷設することができない領域であっても、迅速かつ容易に空調用の空気を送り込むことができる。
また、先端筒部２３が本体筒部２２にスライド可能に嵌合されていることから、先端筒部２３を本体筒部２２から出没させることができ、ダクト部２１を確実に伸縮させることができる。
【００４０】
また、先端筒部２３をエアシリンダ３７に取り付けていることから、簡単かつ確実に先端筒部２３をスライドさせることができる。
さらに、エアシリンダ３７が本体筒部２２の内部に固定されていることから、空調ダクト２０全体の大型化を防止することができるだけでなく、エアシリンダ３７が邪魔にならず空調ダクト２０の設置を容易にすることができる。その上、空調ダクト２０が円筒状に形成されていることから、通常の丸ダクトとして施工することができ、より迅速かつ容易に設置することができる。
また、周面用気密部材２７が設けられていることから、先端筒部２３と本体筒部２２との間の気密状態を確実に保持することができる。さらに、先端筒部２３をスライドさせても、スライド位置の基端から先端にわたってすべてのスライド位置で、先端筒部２３と本体筒部２２との間の気密状態を確実に保持することができる。そのため、ダクト部２１と可動側ダクト部６５が対向配置されるときの間隔寸法を、先端筒部２３のストローク内で自由に設定することができ、また間隔寸法の誤差を吸収することができる。
【００４１】
また、先端気密部材２４が設けられていることから、先端筒部２３を延ばして、その前方に配されるものに先端気密部材２４を当接させるだけで、迅速かつ容易に気密状態を保持することができる。そのため、ダクト部２１の気密作業や連結作業などを不要とすることができる。特に、ホール２などの床下に設置した場合、床下における作業を不要にすることができる。
【００４２】
また、エア供給機４５にガスボンベ４６が一対設けられていることから、いずれか一つを使い切ってしまっても、他のガスボンベ４６で代替操作ができ、利便性を向上させることができる。なお、ガスボンベ４６は、一対に限ることはなく、その設置数は単数・複数など適宜変更可能である。
また、エアシリンダ３７の駆動流体として、窒素を使用しているため、圧縮ガスが外部に漏れても環境に影響を与えない。
さらに、エア供給機４５は、床下とは別の作業室などに設置されるため、遠隔操作によってダクト部２１を容易に伸縮させることができる。そのため、床下などの作業を不要にすることができる。
【００４３】
また、空気入れ６１を操作することにより、手動による遠隔操作によって、ダクト部２１を伸縮させることができる。そのため、緊急時などにおいても、ダクト部２１を確実に伸縮させることができる。
また、シリンダ本体３９内に、オートスイッチ４３が設けられていることから、遠方でダクト部２１の状態を確認した上で、可動客席床１２などの移動操作を行うことができる。
【００４４】
また、本実施形態における空調ダクトシステム１によれば、上記と同様の効果を奏することができるだけでなく、オーケストラピット１５などが設けられる領域であっても、座席空調システムを利用することができる。そのため、ホール２全体の空調方式を一つに統一することができ、大幅な省エネルギー化を図ることができる。
【００４５】
なお、エア供給機４５の開閉部４７を操作するスイッチをエア供給機４５に設けるとしたが、これに限ることはなく、有線や無線のリモコンなどにより、開閉部４７を操作するようにしてもよい。これにより、作業場所を問わずに、例えば固定客席床９や可動客席床１２を見ながら、ダクト部２１を伸縮させることができる。
また、エア供給機４５とオーケストラピット１５の動作システムとのインターロックをとることにより、誤動作を確実に防止することができる。
さらに、シリンダ本体３９内に有接点のオートスイッチ４３を設けるとしたが、これに限ることはなく、種々の検出部を設けることができる。例えば、無接点の磁力センサなどでもよい。また、オートスイッチ４３によって、インジケータランプを点灯させるとしたが、これに限ることはなく、種々の表示部を設けることができる。
なお、本発明の技術範囲は上記の実施形態に限定されるものではなく、本発明の趣旨を逸脱しない範囲において、種々の変更を加えることが可能である。
【図面の簡単な説明】
【００４６】
【図１】本発明に係る空調ダクトシステムを示す図であって、可動客席床が上昇位置に配されたときの様子を示す説明図である。
【図２】図１の空調ダクトシステムを示す図であって、可動客席床が床下位置に配されたときの様子を示す説明図である。
【図３】図１の空調ダクトシステムを示す図であって、オーケストラピットが演奏面に配されたときの様子を示す説明図である。
【図４】図１の空調ダクトを拡大して示す説明図である。
【図５】図４の本体筒部の一部と周面用気密部材とを拡大して示す側断面図である。
【図６】図１の空調ダクトの取り付け構造を拡大して示す説明図である。
【符号の説明】
【００４７】
１    空調ダクトシステム
２    ホール
８，１１  客席
９    固定客席床
１２  可動客席床
１５  オーケストラピット（可動床）
２０  空調ダクト
２１  ダクト部
２２  本体筒部
２３  先端筒部
２４  先端気密部材
２７  周面用気密部材
３７  エアシリンダ（駆動手段）
６５  可動側ダクト部
Ａ    隣接領域
Ｐ１  上昇位置
Ｐ２  下降位置
Ｐ３  床下位置
【図１】
2008101849.tif 000003
【図２】
2008101849.tif 000004
【図３】
2008101849.tif 000005
【図４】
2008101849.tif 000006
【図５】
2008101849.tif 000007
【図６】
2008101849.tif 000008